(57)【特許請求の範囲】
【請求項１】
複数の多色発光ダイオードによる光を混合して照射するようにした照明装置において、
前記複数の多色発光ダイオードの前方側に配置される第１のレンズと、第１のレンズの前方側に配置される第２のレンズとを備え、
前記第１のレンズは、前記複数の多色発光ダイオードによる光を多色発光ダイオード１個毎に集光して拡散する集光拡散レンズを複数具備し、
前記第２のレンズは、複数の前記多色発光ダイオード及び前記集光拡散レンズを全て含む大きさの外径に形成されるとともに後端面が全体的に凹レンズ状に凹んだ単一のレンズであり、その凹んだ面に、一方向に連続する断面凹曲状の凹部を複数列配設してなる波板状の凹凸部を有することで、後面側から入射した光を拡散して前面から放射する際の拡散度合を、後面の前記凹凸部の連続する方向よりも、該方向に直交する方向の方が大きくなるようにしており、この第２のレンズは、光軸を中心にして前記凹凸部を回転させるように設けられていることを特徴とする照明装置。
【請求項２】
前記第２のレンズは、前面に、四角錐状の凹部を、縦方向と該縦方向に直交する横方向との各方向に多数配設してなる凹凸部を有することを特徴とする請求項１記載の照明装置。
【請求項３】
前記多色発光ダイオード及び前記第１のレンズを具備する後筒部の前端に、前筒部を接続している照明装置であって、
前記前筒部は、前記後筒部に対し着脱可能に接続された結合筒部と、該結合筒部の周囲に重ね合わせられるとともに該結合筒部の前方を略筒状に覆うフードと、前記結合筒部内の前端側に回転可能に設けられた前記第２のレンズと、前記結合筒部内における前記第２のレンズの後側に設けられた枠状バネ部材とを具備してなり、
前記結合筒部の前端には内向きに曲げられて前記第２のレンズに対し前方側から接触する内向き縁部が設けられ、
前記フードの内周面には、全周にわたって連続する環状溝が形成され、
前記枠状バネ部材は、その外周部における一部分と該一部分に対向する他の部分とを、それぞれ前記結合筒部に貫通させて前記環状溝に嵌合することで、前記結合筒部に係止されて前記第２のレンズをその後方側から弾性的に押圧するとともに、前記フードを回転可能且つ前後方向へ移動不能に保持していることを特徴とする請求項１又は２記載の照明装置。
【請求項４】
前記複数の多色発光ダイオードの各々は、複数の異なる発光色のＬＥＤチップを具備し、前記複数の多色発光ダイオードのうちの少なくとも一つは、平行移動により他の多色発光ダイオードに重ね合わせられた場合に同発光色のＬＥＤチップ同士が重なり合う関係とならないように、前記他の多色発光ダイオードを基準に所定角度自転した位置関係にあることを特徴とする請求項１乃至３何れか１項記載の照明装置。
【発明の詳細な説明】
【技術分野】
【０００１】
本発明は、ウォールウォッシャーやスポットライト等として好適な照明装置に関するものである。
【背景技術】
【０００２】
壁面等に多くの光を照射するようにした照明装置として、ウォールウォッシャーと呼ばれるタイプの照明器具がある（例えば、特許文献１参照）。また、劇場などで観客の注目を集めるために特定の範囲（スポット）を集中的に照らすようにした照明装置として、スポットライトがある。
これら照明装置の光源には、従来ハロゲンランプが使われることが多かったが、近年では、長寿命、省エネ等の要請からＬＥＤが使われつつある。特に複数の異なる発光色のＬＥＤチップからなる多色発光ダイオード（フルカラー発光ダイオードを含む）を光源とした照明装置では、各ＬＥＤチップの出力を変えることにより様々な色を作り出すことができる上、例えば色温度や色味を変化させることも可能となる。
【０００３】
しかしながら、多色発光ダイオードは、一般的にＲ（レッド）、Ｇ（グリーン）、Ｂ（ブルー）等のＬＥＤチップを一つのパッケージ内に納め、全体を樹脂モールドした構造を有する（例えば、特許文献２参照）ため、例えば、前記ＲＧＢの光の混合により白色に発光しようとした場合でも、その光がうまく混合されずにＲとＧとＢに分裂して見えてしまうことがある。そして、前記のような発光色の分裂に起因して、照射対象物に照射される光に色ムラを生じてしまうおそれがある。
特に、スポットライトでは、光源から発せられる光を特定の範囲（スポット）に効果的に照射するために、できるだけ小さい孔のアパーチャーを用いて、拡散の少ない光にすることが好ましいが、拡散が少ないと光の混合が不十分となり、色ムラを生じ易くなってしまう。そこで、混合のためのレンズを追加することも考えられるが、効率的ではない。
【先行技術文献】
【特許文献】
【０００４】
【特許文献１】特開平８−７６２９号公報
【特許文献２】特開２００８−４７８０９号公報
【発明の概要】
【発明が解決しようとする課題】
【０００５】
本発明は、このような問題に対処することを課題の一例とするものである。
【課題を解決するための手段】
【０００６】
このような目的を達成するために、本発明に係る技術的手段は、以下の構成を少なくとも具備するものである。
【０００７】
複数の多色発光ダイオードによる光を混合して照射するようにした照明装置において、
前記複数の多色発光ダイオードの前方側に配置される第１のレンズと、第１のレンズの前方側に配置される第２のレンズとを備え、前記第１のレンズは、前記複数の多色発光ダイオードによる光を多色発光ダイオード１個毎に集光して拡散する集光拡散レンズを複数具備し、前記第２のレンズは、複数の前記多色発光ダイオード及び前記集光拡散レンズを全て含む大きさの外径に形成されるとともに後端面が全体的に凹レンズ状に凹んだ単一のレンズであり、その凹んだ面に、一方向に連続する断面凹曲状の凹部を複数列配設してなる波板状の凹凸部を有することで、後面側から入射した光を拡散して前面から放射する際の拡散度合を、後面の前記凹凸部の連続する方向よりも、該方向に直交する方向の方が大きくなるようにしており、この第２のレンズは、光軸を中心にして前記凹凸部を回転させるように設けられていることを特徴とする。
【発明の効果】
【０００８】
このような特徴を有することで本発明は以下の作用効果を奏する。
光の拡散度合が大きくなる方向を変更することができる。
【図面の簡単な説明】
【０００９】
【図１】本発明に係る照明装置の一例を示す側面図である。
【図２】同照明装置の灯体を示す縦断面図である。
【図３】図２における(III)-(III)線断面図である。
【図４】枠状バネ部材の一例を示す正面図である。
【図５】図４における(V)-(V)線断面図である。
【図６】第１のレンズの正面側を示す平面図である。
【図７】第１のレンズの側面図である。
【図８】第２のレンズの正面側を示す平面図である。
【図９】図８の要部拡大図である。
【図１０】第２のレンズの下面図である。
【図１１】図１０の(XI)-(XI)線断面図である。
【図１２】図１０の(XII)-(XII)線断面図である。
【図１３】４つの多色発光ダイオードを装着した基板の実施例を示す平面図である。
【図１４】３つの多色発光ダイオードを装着した基板の実施例を示す平面図である。
【図１５】４つの多色発光ダイオードを装着した基板の比較例を示す平面図である。
【図１６】壁面に照射された光を模式的に示す図であり、（ａ）は図１３の実施例によるものであり、（ｂ）は図１５の比較例によるものである。
【発明を実施するための形態】
【００１０】
本発明を実施するための一形態では、複数の異なる発光色のＬＥＤチップを具備してなる多色発光ダイオードを、同一面上に複数配設し、これら複数の多色発光ダイオードによる光を混合して照射するようにした照明装置において、複数の多色発光ダイオードのうちの少なくとも一つは、他の多色発光ダイオードに重ね合わせられた場合に同発光色のＬＥＤチップ同士が重なり合う関係とならないように、前記他の多色発光ダイオードを基準に所定角度自転した位置関係にある。
この構成によれば、同発光色のＬＥＤチップの光が重なり合い強調されて色ムラが生じるようなことを低減することができる。
ここで、前記多色発光ダイオードの好ましい態様としては、複数の異なる発光色のＬＥＤチップを、同一円周上に配置したものとされる。
【００１１】
また、より色ムラを低減する好ましい形態としては、前記複数の多色発光ダイオードの各々を、前記位置関係にする。
【００１２】
更に好ましい形態では、前記複数の多色発光ダイオードは、同一円周上に等間隔にｎ個配設され、各多色発光ダイオードは、隣り合う多色発光ダイオードに対し、（３６０／ｎ）度自転した位置関係にある。
【００１３】
更に好ましい形態では、前記多色発光ダイオードが、４つ設けられ、各多色発光ダイオードは、赤色、緑色、青色、白色の４色のＬＥＤチップを同一円周上に等間隔に備え、隣り合う多色発光ダイオードに対し、９０度自転した位置関係にある。
【００１４】
更に好ましい形態では、前記複数の多色発光ダイオードによる光を混合するレンズが設けられ、該レンズは、前記複数の多色発光ダイオードによる光を多色発光ダイオード毎に集光して拡散する第１のレンズと、該第１のレンズから発せられた光を拡散する第２のレンズとを具備してなる。
【００１５】
以下、本発明の実施の形態を図面に基づいて説明する。
図１は、本発明に係る照明装置の一例を示す側面図である。
【００１６】
この照明装置Ａは、制御回路部１と、該制御回路部１の側面に接続された灯体２とからなり、制御回路部１の上端部が天井面等に取り付けられる。
【００１７】
制御回路部１は、略矩形状のケース１ａ内に図示しない電源回路及び制御回路を具備しており、天井面等から入力される電力を制御して後述する複数の多色発光ダイオードに供給する。
【００１８】
灯体２は、制御回路部１の側面に対し水平軸を中心に回転するように接続された後筒部１０と、該後筒部１０の前方側に接続された前筒部２０とからなる。
【００１９】
後筒部１０は、本体部１１と、該本体部１１の後端側に接続されたヒートシンク部１２と、本体部１１内に光源として設けられたＬＥＤ基板１３と、該ＬＥＤ基板１３から発せられる光を集光して拡散する第１のレンズ１４とを具備している。
【００２０】
本体部１１は、金属材料からなる筒状の部材であり、その前端側の内周面に後述する前筒部２０を接続するための溝１１ａを有する。この溝１１ａは、図示例によれば、本体部１１内周面の全周にわたって設けられるが、下端側のみに設けようにしてもよい。
また、本体部１１前端側の上部には、前筒部２０に螺合された接続ねじ２６に対し、後方側から嵌り合うように切欠部１１ｂが形成される。
【００２１】
そして、本体部１１の後端開口部には、ヒートシンク部１２が接続固定される。
このヒートシンク部１２は、ＬＥＤ基板１３による熱を放熱するようにひだ状に形成される。
【００２２】
また、本体部１１内の後端側には、ヒートシンク部１２の前端面に接触するようにＬＥＤ基板１３が設けられる。
ＬＥＤ基板１３は、円盤状のプリント基板であり、その表面に複数（図１３に示す一例によれば４つ）の多色発光ダイオード１３ａ，１３ｂ，１３ｃ，１３ｄを装着している。
【００２３】
各多色発光ダイオード１３ａ（１３ｂ，１３ｃ又は１３ｄ）は、複数の発光色（図示例によれば赤色、緑色、青色、白色の４色）のＬＥＤチップｒ，ｇ，ｂ，ｗを、同一円周上に等間隔に位置するように設け（図１３参照）、これらＬＥＤチップの前側に、これらＬＥＤチップから発した光を前方へ向ける集光レンズを設け、ＬＥＤチップ毎に電源を供給できるように構成してある。
したがって、この多色発光ダイオード１３ａ（１３ｂ，１３ｃ又は１３ｄ）によれば、複数の発光色のＬＥＤチップを同時に発光した際に、各ＬＥＤチップの出力を適宜に調整することで、これら複数のＬＥＤチップの光が合成されてなる様々な色の光を発することが可能であり、さらに、白色光を発する場合、その色温度を変えたり微妙な色味を加えたりすることも可能である。
この多色発光ダイオード１３ａ（１３ｂ，１３ｃ又は１３ｄ）は、本実施の形態の一例によれば、「米国ＣＲＥＥ  ＩＮＣ．製、Ｘｌａｍｐ（登録商標）  ＭＣ−Ｅ  ＬＥＤ  Ｃｏｌｏｒ  Ｎｅｕｔｒａｌ  Ｗｈｉｔｅ」を用いているが、同様の構造であれば、他メーカの多色発光ダイオードもしくはフルカラー発光ダイオード等を用いてもよい。
【００２４】
そして、前記複数の多色発光ダイオードの各々（例えば１３ｂ）は、他の多色発光ダイオード（１３ａ）に重ね合わせられた場合に同発光色のＬＥＤチップ同士が重なり合う関係とならないように、前記他の多色発光ダイオード（１３ａ）を基準に所定角度自転した位置関係にある。
換言すれば、各多色発光ダイオード（例えば１３ｂ）は、仮に回転することなく他の多色発光ダイオード（例えば１３ａ）に平行移動により重ね合わせられた場合に、同発光色のＬＥＤチップ同士が重なり合うことのないように、前記他の多色発光ダイオード（１３ａ）に対し所定角度自転した位置関係に設けられる。
特に、図１３に示す好ましい一例では、前記のようにして各多色発光ダイオードを他の多色発光ダイオードに重ね合わせた場合に、異なる発光色のＬＥＤチップ同士が重なり合う関係となるように構成される。
【００２５】
図示例について、より詳細に説明すれば、前記複数の多色発光ダイオードは、同一円周上に等間隔にｎ個配設され、各多色発光ダイオードは、隣り合う多色発光ダイオードに対し、（３６０／ｎ）度自転した位置関係にある。
すなわち、図１３に示す一例によれば、同一円周上に等間隔に４つの多色発光ダイオード１３ａ，１３ｂ，１３ｃ，１３ｄが設けられ、各多色発光ダイオード（例えば１３ｂ）は、隣り合う多色発光ダイオード（１３ａ）に対し、時計回りに９０度自転した位置関係にある。
【００２６】
そして、ＬＥＤ基板１３の前方側には、前記複数の多色発光ダイオードによる光を混合するレンズとして、第１のレンズ１４と、後述する第２のレンズ２３が設けられる。
【００２７】
第１のレンズ１４は、複数の多色発光ダイオード１３ａ，１３ｂ，１３ｃ，１３ｄによる光を多色発光ダイオード１個毎に集光して拡散するように構成される。
詳細に説明すれば、この第１のレンズ１４は、各多色発光ダイオードの光を集光して拡散する複数（図示例によれば４つ）の集光拡散レンズ１４ａを具備している。
【００２８】
各集光拡散レンズ１４ａは、図６〜７に示すように、前方へ向かって徐々に拡径する略逆円錐状を呈し、その後端部に円柱状の凹部１４ａ１を有するとともに、該凹部１４ａ１内の底部（図示例によれば上部）側に後方へ突出する略半球状の凸部１４ａ２を有する。そして、前記凹部１４ａ１に、多色発光ダイオード１３ａ（１３ｂ，１３ｃ又は１３ｄ）の発光部分が挿入されるようになっている。
また、集光拡散レンズ１４ａの前面には、光を拡散して放射するための細かい凹凸１４ａ４が多数形成されている。
【００２９】
この集光拡散レンズ１４ａによれば、凹部１４ａ１内で発光した多色発光ダイオード１３ａ（１３ｂ，１３ｃ又は１３ｄ）の光のうち、凹部１４ａ１の内周壁に入射した光は、該内周壁で屈折した後、傾斜する外周部の内面１４ａ３で全反射し略前方へ進み、前面の凹凸１４ａ４によって拡散されて放射される。
また、凸部１４ａ２に入射した光は、凸部１４ａ２面で屈折した後、略前方へ進み、前面の凹凸１４ａ４によって拡散されて放射される。
【００３０】
前記各集光拡散レンズ１４ａは、同様の作用効果を得られるものであれば、図示例以外のレンズや複数のレンズを組み合わせたものであってもよい。
【００３１】
前記集光拡散レンズ１４ａは、複数の多色発光ダイオード１３ａ，１３ｂ，１３ｃ，１３ｄの各々に対応するように、同一円周上に等間隔に複数配置され、前後のレンズ抑え部材１４ａ５，１４ａ６に挟まれるようにして、一体状に保持される（図２参照）。
【００３２】
前側のレンズ抑え部材１４ａ５は、金属製円板に、各集光拡散レンズ１４ａから放射される光を通す貫通孔１４ａ５１を複数設けてなる（図３参照）。
後側のレンズ抑え部材１４ａ６は、金属製円板に、各集光拡散レンズ１４ａの逆円錐状の外周面に当接する貫通孔を複数設けてなる。
そして、これら前後のレンズ抑え部材１４ａ５，１４ａ６は、複数の集光拡散レンズ１４ａを前後から挟んだ状態で、柱状の連結部材１４ｂ及びネジ１４ｃによって連結される。
更に、レンズ抑え部材１４ａ５は、柱状の連結部材１４ｄによりＬＥＤ基板１３をヒートシンク部１２に接触させながらヒートシンク部１２に連結される。より詳細に説明すれば、連結部材１４ｄの一端側（図２によれば左端側）には、ネジ１４ｅによってレンズ抑え部材１４ａ５が止着される。そして、連結部材１４ｄの他端側（図２によれば右端側）には、図示しないネジ部が設けられ、該ネジ部がＬＥＤ基板１３を貫通してヒートシンク部１２に螺合されている。
【００３３】
また、第１のレンズ１４の前方側には、集光拡散レンズ１４ａの前面と、前後の筒部１０，２０のつなぎ目との間に位置するように、遮光板１４ａ７が設けられる。
この遮光板１４ａ７は、複数の集光拡散レンズ１４ａを略囲むとともに外周を後筒部１０内周面に近接させた環状の円板であり、柱状の連結部材１４ａ８及びネジ１４ａ９によってレンズ抑え部材１４ａ５に連結されている。
この遮光板１４ａ７によれば、第１のレンズ１４から放射された光が、前筒部２０と後筒部１０との隙間からもれるのを防ぐことができる。
【００３４】
また、前筒部２０は、後筒部１０の本体部１１に対し着脱可能に接続された結合筒部２１と、該結合筒部２１の周囲に重ね合わせられて光軸（第２のレンズ２３の中心線）を中心にして回転可能なフード２２と、結合筒部２１内の前端側に光軸を中心にして回転可能に設けられた第２のレンズ２３と、結合筒部２１内における第２のレンズ２３の後側に設けられた前側枠状バネ部材２４と、結合筒部２１内における後端側に設けられた後側枠状バネ部材２５とを具備してなる。
【００３５】
結合筒部２１は、円筒状のフード２２の内周面との間に若干の隙間を有するように、多角形の筒状に形成される。そして、多角形の底部を形成する結合筒部２１の前端部には、第２のレンズ２３から放射される光を通す円形状の孔２１ｂと、該孔２１ｂの縁部２１ａが設けられ、縁部２１ａは第２のレンズ２３に対し前方側から接触している。
【００３６】
フード２２は、前端部が斜めカットされた略筒状を呈し、その内周面には、後述する前側枠状バネ部材２４を嵌め合わせるための環状溝２２ａが、全周にわたって連続するように形成される。
このフード２２の後端縁部は、段付き状に縮径され、後筒部１０の前端の段付き状に拡径された部分に対し、回転可能となるように若干の遊びを有して嵌め合わせられている。
【００３７】
第２のレンズ２３は、全体形状が略円板状に形成され、その前面と後面に、それぞれ、凹凸部２３ａと凹凸部２３ｂを有する。
より詳細に説明すれば、第２のレンズ２３の前面は、全体的には略平坦状に形成され、その平坦状の面に、細かな四角錐状の凹部（図９参照）を多数配設してなる凹凸部２３ａを有する。
また、第２のレンズ２３の後端面は、全体的には凹レンズ状に凹んでおり、その凹んだ面に、複数列の波板状の凹凸部２３ｂを有する。この凹凸部２３ｂを形成する各凹部は、一方向に連続する断面凹曲状を呈する。更に、凹凸部２３ｂの表面には、多数の細かな凹凸（図示せず）が設けられている。
この第２のレンズ２３によれば、後面（図１１によれば上面）側から入射した光は、前後の凹凸部２３ｂ，２３ａを通過することにより拡散して、前面から放射される。その際の拡散度合は、後面の凹凸部２３ｂの連続する方向（図１０によれば上下方向）よりも、該方向に直交する方向（図１０によれば水平方向）の方が大きくなる。
この第２のレンズ２３は、同様の作用効果を得られるものであれば、図示例以外の構成のものと置換することも可能である。
【００３８】
前記構成の第２のレンズ２３は、結合筒部２１内で光軸を中心に回転可能となるように、結合筒部２１の内周面との間に若干の隙間を有する状態で結合筒部２１内の前端側に設けられる。そして、この第２のレンズ２３は、結合筒部２１前端の内向き縁部２１ａに当接した状態で、後方側から前側枠状バネ部材２４によって弾性的に押圧される（図２参照）。
【００３９】
前側枠状バネ部材２４は、その外周部における一部分（図２に示す一例によれば上端側部分）と該一部分に対向する他の部分（図２に示す一例によれば下端側部分）とを、それぞれ結合筒部２１に貫通させてフード２２内周面の環状溝２２ａに遊嵌することで、結合筒部２１に係止されて第２のレンズ２３をその後方側から弾性的に押圧するとともに、前記一部分と前記他の部分によってフード２２を回転可能且つ前後方向へ移動不能に保持している。
【００４０】
より詳細に説明すれば、この前側枠状バネ部材２４は、金属性のバネ用線材を、図４〜５に示すように、切れ目２４ａを有する矩形枠状に曲げ形成してなる。前記切れ目２４ａの端部には、後方へ曲げられた摘み部２４ｂ，２４ｂが形成される。また、この前側枠状バネ部材２４は、切れ目２４ａを上方へ向けた状態で、側面視く字状に曲げられ（図５参照）、前方へ向かう突出部２４ｃ，２４ｃを有する。
【００４１】
前記構成の前側枠状バネ部材２４は、左右の摘み部２４ｂ，２４ｂが摘まれることで縮径されて結合筒部２１内に挿入される。そして、この前側枠状バネ部材２４の上端側部分２４ｄ，２４ｄと下端側部分２４ｅが、それぞれ、結合筒部２１に設けられた貫通孔に挿通されて、フード２２の環状溝２２ａに遊びを有する状態で嵌め合わせられる。したがって、フード２２は、結合筒部２１及び前側枠状バネ部材２４に対し、光軸を中心に回転可能であって且つ前後方向へ移動不能に保持される。
【００４２】
また、前側枠状バネ部材２４の左右の突出部２４ｃ，２４ｃは、それぞれ、結合筒部２１に設けられた貫通孔に係合する。この係合状態で、前側枠状バネ部材２４は、突出部２４ｃ側の部分を第２のレンズ２３に当接させて、第２のレンズ２３を弾性的に押圧する（図２参照）。よって、第２のレンズ２３は、容易にがたつかないように保持されるとともに、必要に応じて回転可能となる。
【００４３】
また、後側枠状バネ部材２５は、前述した前側枠状バネ部材２４と略同様に、金属製のバネ用線材を上端に切れ目を有する矩形枠状に形成してなる。この後側枠状バネ部材２５は、前記切れ目に対向する下端側の角側部分を、結合筒部２１に貫通させるとともに後筒部１０内周面の溝１１ａに嵌め合わせ、他の角側部分を結合筒部２１に係止している。
【００４４】
また、結合筒部２１における後側枠状バネ部材２５よりも後端側の上端部には、接続ねじ２６が螺合されている。そして、この接続ねじ２６の首部分は、後筒部１０前端側上部の切欠部１１ｂに挿通され締め付けられている。
【００４５】
よって、接続ねじ２６を緩めて切欠部１１ｂから外し、後側枠状バネ部材２５の下端部を後筒部１０下端の溝１１ａから外せば、前筒部２０を後筒部１０から容易に外すことができる。
逆に組み立てる際は、後側枠状バネ部材２５の下端部を後筒部１０下端の溝１１ａに嵌め合わせ、接続ねじ２６を切欠部１１ｂに嵌め合わせて締め付ければ、前筒部２０を後筒部１０に容易に接続することができる。
【００４６】
また、図中、符号２７は円板状のフィルターであり、符号２８はフィルター２７を保持するカバーである。カバー２８は、フィルター２７を覆う枠状に形成され、左右端部の各々に後方へ突出する係合片２８ａを有する。各係合片２８ａには、結合筒部２１外周の図示しない凸部に係合するための係合孔２８ａ１が設けられる。
カバー２８を前筒部２０に装着する際には、前記各係合片２８ａをフード２２内周面と結合筒部２１外周面との間に確保された隙間に挿入し、前記係合孔２８ａ１を、結合筒部２１外周面の図示しない凸部に嵌め合わせればよい。
また、カバー２８を前筒部２０から外す際には、左右の係合片２８ａ，２８ａを拡径方向へ弾性的に撓ませて、係合孔２８ａ１を前記凸部から外せばよい。
【００４７】
次に、本実施の形態の照明装置Ａの特徴的な作用効果を、比較例と対比しながら詳細に説明する。
【００４８】
比較例は、上記構成の照明装置ＡにおけるＬＥＤ基板１３をＬＥＤ基板１１３に置換したものである。
比較例のＬＥＤ基板１１３は、複数の多色発光ダイオード１３ａの各々を、全て同角度で配置して、他の多色発光ダイオード１３ａに重ね合わせた場合に同発光色のＬＥＤチップ同士が重なり合う関係となるようにしたものである。
【００４９】
本実施の形態の照明装置Ａによれば、複数の多色発光ダイオード１３ａ，１３ｂ，１３ｃ，１３ｄから放出された光は、先ず、第１のレンズ１４によって集光された後に拡散され、更に第２のレンズ２３によっても拡散されることで、混合された状態で放出される。この放出された光は、第２のレンズ２３の波板状の凹凸部２３ｂの作用により、縦方向と横方向の拡散度合が異なる光となり、壁面等の照射対象物に照射される。
この照射された光は、複数の発光色（赤色、緑色、青色、白色）の混合状態が分裂することなく、色ムラの少ない照射光となる（図１6（ａ）参照）。
すなわち、本実施の形態の照明装置Ａでは、各多色発光ダイオードを、他の多色発光ダイオードに対し同発光色のＬＥＤチップ同士が重なり合う関係とならないように自転させて配置しているため、複数の異なる発光色が重なり合って良好に混合され、色ムラの少ない照射光を得ることができる。
【００５０】
それに対し、比較例の照明装置では、複数の発光色（赤色、緑色、青、白）が分裂し、色ムラの多い照射光となる（図１６（ｂ）参照）。
すなわち、比較例の照明装置では、各多色発光ダイオードを、他の多色発光ダイオードに対し同発光色のＬＥＤチップ同士が重なり合う関係となるように配置しているため、同発光色のＬＥＤチップの光が重なり合って強調され、色ムラの多い照射光となる。より詳細に説明すれば、照射光の中心付近では広がりを持った複数の発光色が重なり色ムラが比較的少ないが、周辺に近づくにつれて発光色の重なりが少なくなり色ムラが目立つようになる。
【００５１】
なお、図１６（ａ）（ｂ）は、本実施の形態の照明装置Ａと比較例との効果の違いをわかり易く説明するために模式化した図であり、実際の照射光を示すものでないことは勿論である。
【００５２】
また、本実施の形態の照明装置Ａによれば、光の拡散度合が大きくなる方向を、第２のレンズ２３の回転により変更することができる。例えば、横長の絵画を照射する場合には、第２のレンズ２３の凹凸部２３ｂの連続方向が縦方向となるようにして、図１６（ａ）に示す横方向の拡散度合が大きい光とすればよい。
また、例えば、縦長の絵画を照射する場合には、第２のレンズ２３の凹凸部２３ｂの連続方向が横方向となるように第２のレンズ２３を回転させて、縦方向の拡散度合いが大きい光とすればよい。
【００５３】
更に、本実施の形態の照明装置Ａによれば、斜めカットされた形状のフード２２により、光を必要な方向のみに照射することができる上、その照射方向をフード２２の回転により変化させることができる。
例えば、放出した光を壁面に照射するとともに床面側には照射しないようにするためには、光軸を壁面に向けた状態で、フード２２を回転調整して、フード２２の突出部分が下になるようにすればよい。
【００５４】
なお、上記実施の形態では、一例として多色発光ダイオードを４つ備えたが、他例としては、多色発光ダイオードを３つ備えた態様（図１４参照）や、多色発光ダイオードを２又は５以上備えた態様とすることも可能である。
【００５５】
また、本実施の形態では、特に好ましい一例として、複数の多色発光ダイオードの各々について、他の多色発光ダイオードに重ね合わせられた場合に同発光色のＬＥＤチップ同士が重なり合う関係とならないように、前記他の多色発光ダイオードを基準に所定角度自転した位置関係となるようにしたが、色ムラ低減の効果は、複数の多色発光ダイオードのうちの少なくとも一つを前記位置関係とすることによって得ることが可能である。
【００５６】
また、本実施の形態では、各多色発光ダイオードとして発光色の異なる４つのＬＥＤチップｒ，ｇ，ｂ，ｗを具備する態様としたが、他例としては、各多色発光ダイオードとして発光色の異なる２つ、３つ又は５つ以上ＬＥＤチップを具備する態様としてもよい。更に他例としては、ＬＥＤチップの数の異なる複数種類の多色発光ダイオードを用いることも可能である。
【００５７】
また、本実施の形態では、特に好ましい態様として、第１のレンズ１４及び第２のレンズ２３によって二段階に光を拡散するようにしたが、同様の光の混合効果を得られるのであれば、単一のレンズ又は三以上のレンズを用いた態様、反射板を用いた態様、レンズ及び反射板を用いた態様等とすることが可能である。
【００５８】
また、上記実施の形態では、好ましい一例としてウォールウォッシャータイプの照明装置Ａを構成したが、他の好ましい一例としては、スポットライトを構成することも可能である。
スポットライトを構成した照明装置では、上記構成のＬＥＤ基板１３の複数の多色発光ダイオード１３ａ，１３ｂ，１３ｃ，１３ｄから発せられる光を、集光レンズや反射板等（図示せず）により集光するとともに、その集光された光の近辺にアパーチャー（図示せず）を設ける。前記アパーチャーは、一つあるいは複数の光を通す孔を有する板であり、孔以外の部分で光を遮断するように構成される。そして、この照明装置（スポットライト）は、前記アパーチャーを通した光を、一つ又は複数のレンズに通過させて、照射対象物（平面及び立体を含む）に照射するように構成される。
この照明装置（スポットライト）によれば、複数の異なる発光色が良好に重なり合うため、特定の範囲（スポット）に照射される光を、色ムラの少ない光にすることができる。
【符号の説明】
【００５９】
１：制御回路部                    ２：灯体
１０：後筒部                      １３：ＬＥＤ基板
１３ａ，１３ｂ，１３ｃ，１３ｄ：多色発光ダイオード
１４：第１のレンズ                １４ａ：集光拡散レンズ
２０：前筒部                      ２１：結合筒部
２２：フード                      ２３：第２のレンズ
２４：前側枠状バネ部材              Ａ：照明装置
ｒ，ｇ，ｂ，ｗ：ＬＥＤチップ
【図１】
0005611715.tif 000002
【図２】
0005611715.tif 000003
【図３】
0005611715.tif 000004
【図４】
0005611715.tif 000005
【図５】
0005611715.tif 000006
【図６】
0005611715.tif 000007
【図７】
0005611715.tif 000008
【図８】
0005611715.tif 000009
【図９】
0005611715.tif 000010
【図１０】
0005611715.tif 000011
【図１１】
0005611715.tif 000012
【図１２】
0005611715.tif 000013
【図１３】
0005611715.tif 000014
【図１４】
0005611715.tif 000015
【図１５】
0005611715.tif 000016
【図１６】
0005611715.tif 000017